(57)【要約】【課題】筐体内への水の浸入を見逃しにくくし、かつ、その水の浸入を容易に確認することが可能な水濡れ検出構造を提供する。【解決手段】外部機器に接続可能なコネクタ３０と、コネクタ３０に貼り付けられている水濡れ検出シート４０と、コネクタ３０が収容され、外部機器のコネクタ３０への接続方向でコネクタ３０に面する第１の開口部１３と、水濡れ検出シート４０に対向する第２の開口部１４と、が形成されている筐体１０と、第２の開口部１４を塞いでいる透明なシート部材５０と、を有する。【選択図】  図１
2015040821.tif 000002
【特許請求の範囲】
【請求項１】
外部機器に接続可能なコネクタに貼り付けられている水濡れ検出シートと、
前記コネクタが収容され、前記外部機器の前記コネクタへの接続方向で前記コネクタに面する第１の開口部と、前記水濡れ検出シートに対向する第２の開口部と、が形成されている筐体と、
前記第２の開口部を塞いでいる透明なシート部材と、
を有する水濡れ検出構造。
【請求項２】
前記筐体に着脱可能に取り付けられているコネクタキャップをさらに有し、該コネクタキャップは前記筐体に装着された状態のときに前記第１の開口部を塞いでいる、請求項１に記載の水濡れ検出構造。
【請求項３】
前記筐体に着脱可能に取り付けられているカバーをさらに有し、該カバーは、前記筐体に装着された状態のときに前記シート部材を覆っている、請求項１または２に記載の水濡れ検出構造。
【請求項４】
前記シート部材の材料が透明樹脂である、請求項１から３のいずれか１項に記載の水濡れ検出構造。
【請求項５】
前記コネクタと、
請求項１から４のいずれか１項に記載の水濡れ検出構造と、
前記筐体内で前記コネクタと電気的に接続されている基板と、
を有する電子機器。
【請求項６】
外部機器に接続可能なコネクタに水濡れ検出シートが貼り付けられ、前記コネクタが収容されている筐体に、前記外部機器の前記コネクタへの接続方向で前記コネクタに面する第１の開口部と、前記水濡れ検出シートに対向する第２の開口部とが形成され、前記第２の開口部が透明なシート部材で塞がれた状態で、前記水濡れ検出シートが前記第１の開口部から前記筐体内に浸入した水を検出する、水濡れ検出方法。
【発明の詳細な説明】
【技術分野】
【０００１】
本発明は、筐体内に浸入した水を検出する水濡れ検出構造、電子機器、および水濡れ検出方法に関する。
【背景技術】
【０００２】
携帯電話機やスマートフォンに代表される携帯端末では、筐体内への水の浸入を確認するための手段として、水濡れ検出シートが知られている。水濡れ検出シートは、その表面に水溶性のインクで模様が描かれている。その水濡れ検出シートが水に濡れるとインクが滲む。このインクの滲みにより、筐体内に水が浸入したことを確認できる。このような水濡れ検出シートを内蔵した電子機器である携帯端末が特許文献１に開示されている。
【０００３】
特許文献１に開示された携帯端末は、電池パックの収容箇所に浸入した水を水濡れ検出シートで検出する構成となっている。さらに、この携帯端末には、電池パックを覆っている蓋体の一部に開口部が形成され、この開口部は透明カバーで塞がれている。水濡れ検出シートは、この透明カバーに貼り付けられている。この携帯端末では、上述した開口部および透明カバーが、水濡れ検出シートを視認するための窓部として機能する。そのため、携帯端末を分解しなくても水濡れ検出シートの状態を容易に確認することが可能となる。
【０００４】
携帯端末において、水の浸入経路として想定される箇所は、電池パックの収容箇所だけではない。例えば、携帯端末の筐体にはコネクタを外部機器に接続させるための開口部が形成されており、この開口部も水の浸入経路として想定される。近年、携帯端末では電池パック周辺の防水機能が強化されているので、どちらかといえばコネクタ用の開口部のほうが電池パックの収容箇所よりも水が浸入しやすい。
【先行技術文献】
【特許文献】
【０００５】
【特許文献１】特開２００５−５５７０３号公報
【発明の概要】
【発明が解決しようとする課題】
【０００６】
特許文献１に記載の携帯端末は、コネクタ用の開口部から水が浸入したことを確認するための手段を備えていない。加えて、特許文献１に記載の携帯端末では、水濡れ検出シートは、透明カバーに貼り付けるために浸入経路の奥に位置している。このような構造では、筐体内に浸入した水が少量の場合、浸入した水が水濡れ検出シートまで到達せず、水の浸入を見逃す可能性が高くなる。
【０００７】
そこで、本発明は、筐体内への水の浸入を見逃しにくくし、かつ、その水の浸入を容易に確認することが可能な水濡れ検出構造、電子機器、および水濡れ検出方法を提供することを目的とする。
【課題を解決するための手段】
【０００８】
上記目的を達成するために、本発明の水濡れ検出構造は、外部機器に接続可能なコネクタに貼り付けられている水濡れ検出シートと、前記コネクタが収容され、前記外部機器の前記コネクタへの接続方向で前記コネクタに面する第１の開口部と、前記水濡れ検出シートに対向する第２の開口部と、が形成されている筐体と、前記第２の開口部を塞いでいる透明なシート部材と、を有する。
【０００９】
上記目的を達成するために、本発明の電子機器は、前記コネクタと、前記水濡れ検出構造と、前記筐体内で前記コネクタと電気的に接続されている基板と、を有する。
【００１０】
上記目的を達成するために、本発明の水濡れ検出方法は、外部機器に接続可能なコネクタに水濡れ検出シートが貼り付けられ、前記コネクタが収容されている筐体に、前記外部機器の前記コネクタへの接続方向で前記コネクタに面する第１の開口部と、前記水濡れ検出シートに対向する第２の開口部とが形成され、前記第２の開口部が透明なシート部材で塞がれた状態で、前記水濡れ検出シートが前記第１の開口部から前記筐体内に浸入した水を検出する。
【発明の効果】
【００１１】
本発明によれば、筐体内への水の浸入を見逃しにくくし、かつ、その水の浸入を容易に確認することが可能となる。
【図面の簡単な説明】
【００１２】
【図１】本実施形態の水濡れ検出構造を備えた電子機器の要部の断面構造を示す断面図である。
【図２】本実施形態の電子機器をリアケース側から見た平面図である。
【図３】図１に示す電子機器の変形例を示す断面図である。
【発明を実施するための形態】
【００１３】
本発明の実施形態について図面を参照しながら説明する。
【００１４】
図１は、本実施形態の水濡れ検出構造を備えた電子機器の要部の断面構造を示す断面図である。図１（ａ）は、本実施形態の電子機器に設けられた開口部１３（第１の開口部）が開放した状態を示している。一方、図１（ｂ）は、開口部１３がコネクタキャップ１５で塞がれた状態を示している。
【００１５】
図１に示す本実施形態の電子機器１は、携帯電話機やスマートフォンに代表される携帯端末である。ただし、本発明の電子機器は、携帯端末だけでなく、例えば、ゲーム機、タブレットＰＣ（Personal Computer）、ノートＰＣ、およびＰＤＡ（Personal Data Assistants）にも適用可能である。
【００１６】
図１を参照すると、本実施形態の電子機器１は、フロントケース１１とリアケース１２とで構成された筐体１０を有する。フロントケース１１の表面には、タッチパネル１６が取り付けられている。タッチパネル１６は、タッチパッドのようなポインティングデバイスと、ＬＣＤ（Liquid Crystal Display）のような表示デバイスとで構成されている。リアケース１２は、ネジなどでフロントケース１１に固定されている。
【００１７】
フロントケース１１とリアケース１２との間に形成された内部空間、つまり筐体１０の内部には、基板２０と、基板２０に電気的に接続されているコネクタ３０などが収容されている。基板２０には、電子機器１の駆動回路などが形成されている。
【００１８】
コネクタ３０は、外部機器と接続するための凹状のインターフェースである。コネクタ３０には、例えば、マイクロＵＳＢ（Universal Serial Bus）ポートやヘッドセットジャックなどが該当する。一方、外部機器には、例えば、マイクロＵＳＢプラグやヘッドセットなどが該当する。
【００１９】
本実施形態の電子機器１において、コネクタ３０と外部機器との接続時には、筐体１０の一面（側面）に形成された開口部１３が開放される（図１（ａ）参照）。一方、コネクタ３０の非使用時には、開口部１３は、コネクタキャップ１５で塞がれる（図１（ｂ）参照）。コネクタキャップ１５は、筐体１０に着脱可能に取り付けられており、筐体１０への装着時に開口部１３を塞ぐ。
【００２０】
コネクタ３０には、水濡れ検出シート４０が貼り付けられている。本実施形態では、水濡れ検出シート４０は、リアケース１２側の外面に貼り付けられている。水濡れ検出シート４０は紙製であり、その表面に水溶性の赤インクで模様が描かれている。
【００２１】
図１（ａ）、（ｂ）に示すように、リアケース１２には開口部１４（第２の開口部）が形成されている。開口部１４は、水濡れ検出シート４０に対向する位置に形成されている。開口部１４は、透明なシート部材５０で塞がれている。
【００２２】
シート部材５０は、水濡れ検出シート４０の視認および防水のための部材である。シート部材５０の材料は、透明であり、かつ防水性を備えていることが望ましい。このような材料には、例えば、ＰＥＴ（Polyethylene terephthalate）やアクリル樹脂に代表される透明樹脂が該当する。本実施形態では、シート部材５０は、リアケース１２の内側で開口部１４を塞いでいるが、リアケース１２の外側で開口部１４を塞いでいてもよい。
【００２３】
図２は、本実施形態の電子機器１をリアケース１２側から見た平面図である。上述したように、リアケース１２には開口部１４が形成されているとともに、開口部１４は透明なシート部材５０で塞がれている。そのため、本実施形態の電子機器１では、リアケース１２側から水濡れ検出シート４０の状態を視認できる。なお、本実施形態では、図２に示すように水濡れ検出シート４０の表面には水玉模様が描かれているが、本発明では模様の種類および色は特に限定されない。
【００２４】
上記のように構成された本実施形態の電子機器１では、水が開口部１３から筐体１０の内部に浸入した場合、水濡れ検出シート４０がその水で濡れる。すると、水濡れ検出シート４０は、インクが滲んだ状態に変化する。ユーザは、シート部材５０と、リアケース１２に形成された開口部１４とを通じて水濡れ検出シート４０の状態変化を視認できる。これにより、ユーザは、開口部２３から筐体１０への水の浸入を確認できる。
【００２５】
本実施形態の電子機器１によれば、水濡れ検出シート４０はコネクタ３０に直接貼り付けられ、開口部１３は外部機器のコネクタ３０への接続方向でコネクタ３０に面している。すなわち、本実施形態の電子機器１では、水濡れ検出シート４０は、水が浸入しやすい箇所であり、かつ浸入経路の入口付近に位置している。そのため、開口部１３から浸入した水が少量であっても、水濡れ検出シート４０は、その水に濡れる可能性が高くなる。これにより、筐体１０内への水の浸入が見逃されにくくなる。
【００２６】
さらに、水濡れ検出シート４０の状態変化は、電子機器１を分解しなくてもリアケース１２に形成された開口部１４を通じて確認できる。よって、筐体１０内への水の浸入を容易に確認することが可能となる。
【００２７】
図３は、本実施形態の電子機器１の変形例を示す断面図である。図３に示すように、本発明では、カバー６０がリアケース１２に着脱可能に取り付けられていてもよい。カバー６０は、リアケース１２に装着された状態でシート部材５０を覆っている。カバー６０によって、シート部材５０は、汚れにくくなり、かつ傷つきにくくなる。そのため、水濡れ検出シート４０の良好な視認性を確保することが可能となる。
【００２８】
本実施形態ではカバー６０は、透明であっても透明でなくてもよい。カバー６０が透明でない場合、ユーザは、カバー６０をリアケース１２から取り外すことによって水濡れ検出シート４０の状態を確認できる。ユーザがカバー６０を手軽に取り外せるようにするため、カバー６０の着脱構造は簡易であることが望ましい。このような着脱構造として、例えば、カバー６０に爪部を形成し、リアケース１２にその爪部が挿抜可能に嵌合される穴部を形成した構造を採用してもよい。また、カバー６０が透明でない場合、水濡れ検出シート４０の状態確認を行わないときに水濡れ検出シート４０はカバー６０に隠れている。そのため、電子機器１のデザイン性を損なわずに筐体１０内への水の浸入を検知することが可能となる。
【符号の説明】
【００２９】
１  電子機器
１０  筐体
１１  フロントケース
１２  リアケース
１３  開口部（第１の開口部）
１４  開口部（第２の開口部）
１５  コネクタキャップ
２０  基板
３０  コネクタ
４０  水濡れ検出シート
５０  シート部材
６０  カバー
【図１】
2015040821.tif 000003
【図２】
2015040821.tif 000004
【図３】
2015040821.tif 000005